Podtech/llm-jp-corpus-v4-ja_patent huggingface dataset:
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
アルミナ、チタニア、およびシリカの供給源を含有する無機バッチ材料と、
第１の細孔形成剤および前記第１の細孔形成剤と異なった組成を有する第２の細孔形成剤を含有する細孔形成剤の組合せと、
有機結合剤と、
溶剤と
を含むことを特徴とする、チタン酸アルミニウムセラミックを形成するチタン酸アルミニウムセラミックバッチ混合物。
【請求項２】
前記細孔形成剤の組合せが、炭素、スターチ、およびポリマーの群から選択された少なくとも２つを含有することを特徴とする、請求項１に記載のチタン酸アルミニウムセラミックバッチ混合物。
【請求項３】
前記第１の細孔形成剤がポリマーであり、前記第２の細孔形成剤が黒鉛であることを特徴とする、請求項１に記載のチタン酸アルミニウムセラミックバッチ混合物。
【請求項４】
前記ポリマーが０．９７グラム／ｃｃ未満の密度を有することを特徴とする、請求項３に記載のチタン酸アルミニウムセラミックバッチ混合物。
【請求項５】
前記第１および第２の細孔形成剤が、黒鉛、活性炭素、石油コークス、カーボンブラック、トウモロコシ澱粉、大麦澱粉、豆澱粉、馬鈴薯澱粉、米澱粉、タピオカ澱粉、エンドウ澱粉、サゴヤシ澱粉、小麦澱粉、カンナ澱粉、ポリブチレン、ポリメチルペンテン、ポリエチレン、ポリプロピレン、ポリスチレン、ポリアミド、エポキシ、ＡＢＳ、アクリル樹脂、およびポリエステルからなる細孔形成剤の群から選択されることを特徴とする、請求項１に記載のチタン酸アルミニウムセラミックバッチ混合物。
【請求項６】
前記第１の細孔形成剤が澱粉を含み、前記第２の細孔形成剤が黒鉛を含むことを特徴とする、請求項１に記載のチタン酸アルミニウムセラミックバッチ混合物。
【請求項７】
前記澱粉が、トウモロコシ澱粉、大麦澱粉、豆澱粉、馬鈴薯澱粉、米澱粉、タピオカ澱粉、エンドウ澱粉、サゴヤシ澱粉、小麦澱粉、およびカンナ澱粉からなることを特徴とする、請求項６に記載のチタン酸アルミニウムセラミックバッチ混合物。
【請求項８】
前記第１の細孔形成剤が馬鈴薯澱粉であり、前記第２の細孔形成剤が黒鉛であることを特徴とする、請求項１に記載のチタン酸アルミニウムセラミックバッチ混合物。
【請求項９】
前記第１の細孔形成剤が、前記無機バッチ材料の５〜２５重量％からなり、前記第２の細孔形成剤が、前記無機バッチ材料の５〜２５重量％からなることを特徴とする、請求項１に記載のセラミックバッチ混合物。
【請求項１０】
前記第１の細孔形成剤が、前記無機バッチ材料の５〜１５重量％の澱粉からなり、前記第２の細孔形成剤が、前記無機バッチ材料の５〜１５重量％の炭素からなることを特徴とする、請求項１に記載のセラミックバッチ混合物。
【請求項１１】
アルミナ、チタニア、およびシリカの供給源を含有する無機バッチ材料の均質な混合物と、
異なる組成を有する第１の細孔形成剤および第２の細孔形成剤を含有する細孔形成剤の組合せと、
有機結合剤と
を含むチタン酸アルミニウムセラミック形成未焼成体であって、未焼成体に沿って横断する複数のセルチャンネルを形成する複数の連続セル壁を含有することを特徴とする、チタン酸アルミニウムセラミック形成未焼成体。
【請求項１２】
無機バッチ材料を、異なる組成の第１の細孔形成剤および第２の細孔形成剤を含有する細孔形成剤の組合せと混合してバッチ組成物を形成する工程と、
有機結合剤および溶剤を前記バッチ組成物に添加してさらに混合し、可塑化混合物を形成する工程と、
未焼成体を前記可塑化混合物から形成する工程と、
前記未焼成体を焼成してチタン酸アルミニウムの主相を製造する工程と
を含むことを特徴とする、チタン酸アルミニウム含有セラミック物品を製造する方法。
【請求項１３】
焼成する前記工程が、
炉温度を第１の段階において１４℃／時間より大きく５０℃／時間より小さい第１の平均上昇速度において増加させて前記第１の細孔形成剤を焼尽させる工程と、
前記炉温度を第２の段階において５００℃より高い下限および９００℃未満の上限を有する第１の保持領域内に１２０時間未満にわたり保持して前記第２の細孔形成剤を焼尽させる工程と、
前記炉温度を第３の段階において３０℃／時間より大きく８０℃／時間より小さい第２の平均上昇速度において増加させる工程と、
前記炉温度を第４の段階においておよび１３５０℃より高い下限および１５５０℃未満の上限を有する第２の保持領域内に少なくとも４時間にわたり保持する工程と
をさらに含むことを特徴とする、請求項１２に記載のチタン酸アルミニウム含有セラミック物品を製造する方法。
【請求項１４】
焼成する前記工程が、１００℃／時間より大きい平均冷却速度において前記下限から少なくとも１０００℃まで冷却する工程をさらに含むことを特徴とする、請求項１３に記載のチタン酸アルミニウム含有セラミック物品を製造する方法。
【請求項１５】
焼成する前記工程が、５０％より大きく６０％未満の多孔度、好ましくは１０μｍより大きく１５μｍ未満である中央細孔サイズ、ＲＴ〜８００℃の間で測定された、１０×１０−７／℃未満のＣＴＥ、および１５０ｐｓｉより大きいＭＯＲ値を有するセラミック物品を製造することを特徴とする、請求項１２に記載のチタン酸アルミニウム含有セラミック物品を製造する方法。
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
L-ドーパまたはドーパミンアゴニストにより誘発されるジスキネジーの予防または治療用医薬の製造において、ニューロンのNO合成酵素の医薬的に許容される選択的阻害剤の使用。
【請求項２】
前記L-ドーパまたはドーパミンアゴニストにより誘発されるジスキネジーを減少すると同時に、パーキンソン病の治療に、併用で、別々にまたは連続的に使用される医薬の製造において、（ｉ）ニューロンのNO合成酵素の医薬的に許容される選択的阻害剤および（ｉｉ）L-ドーパまたはドーパミンアゴニストの使用。
【請求項３】
医薬が、L-ドーパまたはドーパミンアゴニストの反復投与の結果としてその患者に生じるジスキネジーの治療用である、請求項１または請求項２に記載の使用。
【請求項４】
ニューロンのNO合成酵素の医薬的に許容される選択的阻害剤を含むことを特徴とする、L-ドーパまたはドーパミンアゴニストにより誘発されるジスキネジーの予防または治療用医薬組成物。
【請求項５】
（ｉ）ニューロンのNO合成酵素の医薬的に許容される選択的阻害剤および（ｉｉ）L-ドーパまたはドーパミンアゴニストを含むことを特徴とする、前記L-ドーパまたはドーパミンアゴニストにより誘発されるジスキネジーを減少すると同時に、パーキンソン病の治療用医薬組成物。
【請求項６】
L-ドーパまたはドーパミンアゴニストの反復投与の結果としてその患者に生じるジスキネジーの治療用である、請求項４または請求項５に記載の医薬組成物。
【請求項７】
（ｉ）ニューロンのNO合成酵素の医薬的に許容される選択的阻害剤、（ｉｉ）L-ドーパまたはドーパミンアゴニストならびに（ｉｉｉ）一以上の医薬的に許容される（ｉ）および／または（ｉｉ）のための希釈剤または担体を含み、パーキンソン病の治療に対して同時に、併用で、別々にまたは連続での使用のための単位投与形態にある医薬組成物、医薬品またはパッケージ。
【請求項８】
末梢の脱炭酸酵素阻害剤をさらに含む、請求項７に記載の医薬組成物、医薬品またはパッケージ。
【請求項９】
末梢の脱炭酸酵素阻害剤がカルビドパまたはベンセラジドである、請求項８に記載の医薬組成物、医薬品またはパッケージ。
【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
持続性エネルギー放出食品、飼料または飲料組成物の製造にグルコピラノシルテトリトールを使用する方法。
【請求項２】
グルコピラノシルテトリトールがグルコピラノシルエリスリトール、グルコピラノシルD-スレイトール、グルコピラノシルL-スレイトール、およびこれらのうちの2種またはそれ以上の混合物からなる群から選択される、請求項1記載の使用方法。
【請求項３】
グルコピラノシルテトリトールが、持続性エネルギー放出食品、飼料または飲料組成物の全重量を基準として少なくとも5重量%の量で添加される、請求項1または2のいずれか1つに記載の使用方法。
【請求項４】
グルコピラノシルテトリトールを含むことを特徴とする持続性エネルギー放出食品、飼料または飲料組成物。
【請求項５】
持続性エネルギー放出食品、飼料または飲料組成物の製造方法であって、グルコピラノシルテトリトールを前記組成物に添加する段階を含むことを特徴とする、前記製造方法。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
ゼロ価又は部分的に荷電した白金原子の原子的薄層によって少なくとも部分的に被包されている金属酸化物コアで構成され、或いは代わりに、又はさらに、前記金属酸化物コアが、ゼロ価又は部分的に荷電した白金クラスターに結合している、白金-金属酸化物複合粒子。
【請求項２】
前記金属酸化物コアが、チタン、ニオビウム、イットリウム、ジルコニウム、モリブデン、クロム、ニッケル、マンガン、バナジウム、タンタル、タングステン、レニウム、ルテニウム、ロジウム、及びイリジウムから成る群より選択される１又は２以上の金属の酸化物で構成される、請求項１に記載の白金-金属酸化物複合粒子。
【請求項３】
前記金属酸化物コアが、チタン、ニオビウム、モリブデン、クロム、ニッケル、マンガン、バナジウム、タンタル、タングステン、レニウム、ルテニウム、ロジウム、及びイリジウムから成る群より選択される１又は２以上の金属の酸化物で構成される、請求項１に記載の白金-金属酸化物複合粒子。
【請求項４】
前記金属酸化物コアが、チタン、ニオビウム、モリブデン、クロム、ニッケル、マンガン、バナジウム、タンタル、レニウム、ルテニウム、ロジウム、及びイリジウムから成る群より選択される１又は２以上の金属の酸化物で構成される、請求項１に記載の白金-金属酸化物複合粒子。
【請求項５】
前記金属酸化物コアが、タングステンの酸化物で構成される、請求項１に記載の白金-金属酸化物複合粒子。
【請求項６】
前記タングステンの酸化物が酸化タングステンナトリウムである、請求項５に記載の白金-金属酸化物複合粒子。
【請求項７】
前記酸化タングステンナトリウムがナトリウム-タングステンブロンズである、請求項６に記載の白金-金属酸化物複合粒子。
【請求項８】
前記金属酸化物コアが、１ナノメーター〜５００ミクロンの範囲の大きさである、請求項１に記載の白金-金属酸化物複合粒子。
【請求項９】
前記金属酸化物コアが、約１０〜５０ナノメーターの範囲の大きさである、請求項８に記載の白金-金属酸化物複合粒子。
【請求項１０】
前記金属酸化物コアが、ゼロ価又は部分的に荷電した白金クラスターに結合している、請求項１に記載の白金-金属酸化物複合粒子。
【請求項１１】
前記ゼロ価又は部分的に荷電した白金クラスターが、それぞれ独立に約３〜６０個の白金原子で構成されている、請求項１０に記載の白金-金属酸化物複合粒子。
【請求項１２】
前記金属酸化物コアが、ゼロ価又は部分的に荷電した白金原子の原子的薄層によって少なくとも部分的に被包さている、請求項１に記載の白金-金属酸化物複合粒子。
【請求項１３】
前記原子的薄層が、ゼロ価又は部分的に荷電した白金原子のサブ単層、単層、二層、又は三層である、請求項１２に記載の白金-金属酸化物複合粒子。
【請求項１４】
酸素-還元カソードであって、前記酸素-還元カソードの作動条件下で分解に耐えうる酸化物組成物を含んでなる金属酸化物コアで構成される、請求項１〜１３のいずれか一項に記載される白金-金属酸化物複合粒子に結合している導電性担体を含む、前記酸素-還元カソード。
【請求項１５】
前記導電性担体が、カーボンブラック、黒鉛化炭素、グラファイト、及び活性化炭素から成る群より選択される、請求項１４に記載の酸素-還元カソード。
【請求項１６】
燃料電池であって、以下の要素：
(i)請求項１４または１５に記載の酸素-還元カソード；
(ii)アノード；
(iii)前記酸素-還元カソードと前記アノードを接続する導電性接触；及び
(iv)前記酸素-還元カソード及び前記アノードと相互に接触するイオン伝導性電解質；を含んでなる燃料電池。
【請求項１７】
前記イオン伝導性電解質がプロトン伝導性電解質である請求項１６に記載の燃料電池。
【請求項１８】
前記プロトン伝導性電解質がプロトン伝導性膜である請求項１７に記載の燃料電池。
【請求項１９】
燃料電池の酸素-還元カソードにおける白金の溶解を防止又は低減することによって燃料電池の安定性を改良する方法であって、前記燃料電池の作動条件下で分解に耐えうる酸化物組成物を含む金属酸化物コアで構成される、請求項１〜１３のいずれか一項に記載される白金-金属酸化物複合粒子を燃料電池の酸素-還元カソードに組み入れることによって、前記燃料電池の前記酸素-還元カソードにおける白金の溶解を防止又は低減することを特徴とする方法。
【請求項２０】
電気エネルギーの製造方法であって、以下の工程：
(i)請求項１６〜１８のいずれか一項に記載の燃料電池を供給する工程；
(ii)前記酸素-還元カソードを酸素と接触させる工程；及び
(iii)前記アノードを燃料源と接触させる工程；
を含む、前記方法。
【請求項２１】
前記燃料源が水素ガスである、請求項２０に記載の方法。
【請求項２２】
前記水素ガスが改質メタノールから生成される、請求項２１に記載の方法。
【請求項２３】
前記水素ガスが改質メタンから生成される、請求項２１に記載の方法。
【請求項２４】
前記水素ガスが改質ガソリンから生成される、請求項２１に記載の方法。
【請求項２５】
前記燃料源が非改質アルコールである、請求項２０に記載の方法。
【請求項２６】
前記燃料源が非改質メタノールである、請求項２５に記載の方法。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
遊離形または薬学的に許容される塩形の式（Ｉａ）
【化１】
2008545672.tif 000001
〔式中、
Ｑは−Ｃ（Ｏ）ＯＲ６および−Ｃ（Ｏ）ＮＲ７Ｒ８から選択され；
Ｒ２およびＲ３はＨであり；
Ｒ６はＨまたはＣ１−Ｃ８−アルキルであり；
Ｒ７はＨであり；
Ｒ８はＣ３−Ｃ１５シクロアルキルであり；
Ｒ１２およびＲ１３は独立して、水素、ハロゲン、ニトロ、またはＣ１−Ｃ８−アルキルスルホニルであり；
Ｘは−ＣＨ２−、−ＳＯ−または−ＳＯ２−であり；そして
Ｗは１である〕で示される化合物。
【請求項２】
［４−クロロ−２−（５−クロロ−２−メトキシカルボニルメトキシ−ベンジル）−フェノキシ］−酢酸；
［４−クロロ−２−（５−クロロ−２−エトキシカルボニルメトキシ−ベンジル）−フェノキシ］−酢酸；
［４−クロロ−２−（５−クロロ−２−イソブトキシカルボニルメトキシ−ベンジル）−フェノキシ］−酢酸；
［４−クロロ−２−（５−クロロ−２−イソプロポキシカルボニルメトキシ−ベンジル）−フェノキシ］−酢酸；
［４−ブロモ−２−（５−ブロモ−２−カルボキシメトキシ−ベンジル）−フェノキシ］−酢酸；
［４−クロロ−２−（５−クロロ−２−シクロプロピルカルバモイルメトキシ−ベンジル）−フェノキシ］−酢酸；
［４−フルオロ−２−（５−フルオロ−２−カルボキシメトキシ−ベンジル）−フェノキシ］−酢酸
［２−（２−カルボキシメトキシ−５−クロロ−ベンジル）−フェノキシ］−酢酸；
｛４−クロロ−２−［２−カルボキシメトキシ−５−クロロ−フェニルスルファニル］−フェノキシ）−酢酸；
｛４−クロロ−２−［ベンゼンスルホニル−５−クロロ−２−カルボキシメトキシ］−フェノキシ酢酸；
４−［２−（２−カルボキシメトキシ−５−クロロ−ベンジル）−４−クロロ−フェノキシ］−酪酸；
［２−（２−カルボキシメトキシ−５−クロロ−ベンジル）−４−ニトロ−フェノキシ］−酢酸；
２−［２−（２−カルボキシメトキシ−５−クロロ−ベンジル）−４−クロロ−フェノキシ］−２−メチル−プロピオン酸；
［２−（２−カルボキシメトキシ−５−クロロ−ベンゾイル）−４−クロロ−フェノキシ］−酢酸；および
［２−（２−カルボキシメトキシ−５−メタンスルホニル−ベンジル）−４−クロロ−フェノキシ］−酢酸から選択される請求項１に記載の化合物。
【請求項３】
医薬として使用するための請求項１または２に記載の化合物。
【請求項４】
請求項１または２に記載の化合物を含む医薬組成物。
【請求項５】
炎症またはアレルギー状態、特に炎症性または閉塞性気道疾患の処置のための請求項１または２に記載の化合物の使用。
【請求項６】
遊離形または薬学的に許容される塩形の請求項１で定義される式（Ｉａ）の化合物の製造法であって、
（ｉ）（Ａ）式
【化２】
2008545672.tif 000002
〔式中、Ｒ１０はＣ１−Ｃ８−アルキル、Ｃ３−Ｃ１５−シクロアルキル、Ｃ１−Ｃ８−アルキル（Ｃ６−Ｃ１５−芳香族性炭素環式基）およびＣ６−Ｃ１５−芳香族性カルボン酸基から選択され；そして
他の全ての記号が上記定義のとおりである〕である化合物のエステル基−ＣＯＯＲ１０を開裂するか、または
（Ｂ）
Ｑが−ＣＯＯＲ６または−Ｃ（Ｏ）ＮＲ７Ｒ８であり；
Ｒ６がＣ１−Ｃ８−アルキルであり；そして
Ｒ７およびＲ８が上記定義のとおりである式（Ｉａ）の化合物の製造のために、
Ｑが−ＣＯＯＮである式（Ｉａ）の化合物の適当なエステル化またはアミド化し；そして
（ｉｉ）遊離形または薬学的に許容される塩形の得られた式（Ｉａ）の化合物を回収する
段階を含む方法。
【手続補正書】
【提出日】平成21年6月10日(2009.6.10)
【手続補正１】
【補正対象書類名】特許請求の範囲
【補正対象項目名】請求項１
【補正方法】変更
【補正の内容】
【請求項１】
構造式：
【化１】
2008545700.tif 000001
（式中、
Ｒ１及びＲ２は、Ｈ、ハロゲン原子、−ＯＨ、及びメトキシ基から選択され；
Ｘは、ヨウ素原子、臭素原子、塩素原子、トルエンスルホニル基、メタンスルホニル基及びトリフルオロメタンスルホニル基から選択され；
ＰｒｏｔＡ−Ｏ−は、オキシメチルエーテル基、アリルエーテル基、第三級アルキルエーテル基、ベンジルエーテル基及びシリルエーテル基から選択されるフェノールのための保護基であり；
ＰｒｏｔＢ−Ｏ−は、ＨＯ−、又はオキシメチルエーテル基、テトラヒドロピラニル若しくはテトラヒドロフラニルエーテル基、メトキシシクロヘキシルエーテル基、メトキシベンジルエーテル基、シリルエーテル基及びエステル基から選択されるベンジル型アルコールのための保護基であり；並びに
Ｑは、トリフェニルグリコールの単一鏡像体、キラル中心少なくとも一つを有する環状窒素含有部分の単一鏡像体、及びキラル中心少なくとも一つを有する分岐状窒素含有部分の単一鏡像体から選択されるキラル補助基である）
で表される化合物の製造方法であって、
式：
【化２】
2008545700.tif 000002
で表される化合物を、
式：
【化３】
2008545700.tif 000003
で表される化合物と反応させることを含む、前記化合物の製造方法。
【手続補正２】
【補正対象書類名】特許請求の範囲
【補正対象項目名】請求項２９
【補正方法】変更
【補正の内容】
【請求項２９】
式：
【化３９】
2008545700.tif 000004
（式中、
Ｒ１は、Ｈ、ハロゲン原子、−ＯＨ、及びメトキシ基から選択され；
Ｘは、ヨウ素原子、臭素原子、塩素原子、トルエンスルホニル基、メタンスルホニル基及びトリフルオロメタンスルホニル基から選択され；並びに
ＰｒｏｔＡ−Ｏ−は、オキシメチルエーテル基、アリルエーテル基、第三級アルキルエーテル基、ベンジルエーテル基及びシリルエーテル基から選択されるフェノールのための保護基であり、
但しＰｒｏｔＡ−がベンジル基であり、Ｒ１がＨであり、そしてＸがＢｒである場合、化合物は固体であり、及び純度９５％を超えるものである）
で表される化合物。
【手続補正３】
【補正対象書類名】明細書
【補正対象項目名】００１０
【補正方法】変更
【補正の内容】
【００１０】
第３の方法の観点においては、本発明は、構造式ＩＶ：
【化１１】
2008545700.tif 000005
（式中、Ｑは、キラル補助基である）
で表される化合物を製造する方法に関する。キラル補助基は、トリフェニルグリコールの単一鏡像体、キラル中心少なくとも一つを有する環状窒素含有部分の単一鏡像体、及びキラル中心少なくとも一つを有する分岐状窒素含有部分の単一鏡像体から選択される。本方法は、式Ｖ：
【化１２】
2008545700.tif 000006
で表される化合物を、式ＶＩ：
【化１３】
2008545700.tif 000007
で表される化合物と反応させることを含む。
【手続補正４】
【補正対象書類名】明細書
【補正対象項目名】００４３
【補正方法】変更
【補正の内容】
【００４３】
構造式ＩＩ：
【化３６】
2008545700.tif 000008
で表される化合物は、
式ＩＶ：
【化３７】
2008545700.tif 000009
（式中、Ｑは、窒素原子において結合されるキラル補助基である）
で表される化合物を環化することにより合成することができる。キラル補助基は、トリフェニルグリコールの単一鏡像体、キラル中心少なくとも一つを有する環状窒素含有部分の単一鏡像体、及びキラル中心少なくとも一つを有する分岐状窒素含有部分の単一鏡像体から選択することができる。或る実施態様においては、キラル補助基は、窒素原子において結合される環状及び分岐状窒素含有部分の単一の鏡像体から選択することができる。キラル補助基の例には、トリフェニルグリコール基：
【化３８】
2008545700.tif 000010
［Ｂｒａｕｎ ａｎｄ Ｇａｌｌｅ，Ｓｙｎｔｈｅｓｉｓ １９９６，８１９−８２０を参照のこと］、並びにキラルな窒素複素環基のクラス：
【化３９】
2008545700.tif 000011
が含まれる。
【手続補正書】
【提出日】平成21年1月14日(2009.1.14)
【手続補正１】
【補正対象書類名】明細書
【補正対象項目名】０１２３
【補正方法】変更
【補正の内容】
【０１２３】
本明細書で使用される用語「ＢＩＲドメイン」または「ＢＩＲ」は、本明細書中において、相互互換的に使用され、配列Ｃｙｓ−（Ｘａａ１）２−Ｃｙｓ−（Ｘａａ１）１６Ｈｉｓ−（Ｘａａ１）６−８Ｃｙｓ（配列番号１）中の保存システインおよび１個の保存ヒスチジン残基を含む数多くの不変アミノ酸残基を特徴とするドメインを意味するものである。普通、コンセンサス配列のアミノ酸配列は、Ｘａａ１−Ｘａａ１−Ｘａａ１−Ａｒｇ−Ｌｅｕ−Ｘａａ１−Ｔｈｒ−Ｐｈｅ−Ｘａａ１−Ｘａａ１−Ｔｒｐ−Ｐｒｏ−Ｘａａ２−Ｘａａ１−Ｘａａ１−Ｘａａ２−Ｘａａ２−Ｘａａ１−Ｘａａ１−Ｘａａ１−Ｘａａ１−Ｌｅｕ−Ａｌａ−Ｘａａ１−ＡＩａ−Ｇｌｙ−Ｐｈｅ−Ｔｙｒ−Ｔｙｒ−Ｘａａ１−Ｇｌｙ−Ｘａａ１−Ｘａａ１−Ａｓｐ−Ｘａａ１−Ｖａｌ−Ｘａａ１−Ｃｙｓ−Ｐｈｅ−Ｘａａ１−Ｃｙｓ−Ｘａａ１−Ｘａａ１−Ｘａａ１−Ｘａａ１−Ｘａａ１−Ｘａａ１−Ｔｒｐ−Ｘａａ１−Ｘａａ１−Ｘａａ１−Ａｓｐ―Ｘａａ１−Ｘａａ１−Ｘａａ１−Ｘａａ１−Ｘａａ１−Ｈｉｓ−Ｘａａ−１−Ｘａａ１−Ｘａａ１−Ｘａａ１−Ｐｒｏ−Ｘａａ１−Ｃｙｓ−Ｘａａ１−Ｐｈｅ−Ｖａｌ（配列番号２）（ここで、Ｘａａ１はアミノ酸であり、Ｘａａ２は、任意のアミノ酸または非存在である）である。配列は、ここで、ＸＩＡＰ、ＨＩＡＰ１またはＨＩＡＰ２のために提供されるＢＩＲドメイン配列の１つと同一であるのが好ましい。ＢＩＲドメイン残基を以下に挙げる（Ｇｅｎｏｍｅ  Ｂｉｏｌｏｇｙ（２００１）１−１０参照）。
【手続補正２】
【補正対象書類名】明細書
【補正対象項目名】０１２４
【補正方法】変更
【補正の内容】
【０１２４】
【化８３】
2008545629.tif 000001
本明細書で使用される用語「環亜鉛フィンガー」または「ＲＺＦ」は、Ｇｌｕ−Ｘａａ１−Ｘａａ１−Ｘａａ１−Ｘａａ１−Ｘａａ１−Ｘａａ−１−Ｘａａ２−Ｘａａ１−Ｘａａ１−Ｘａａ１−Ｃｙｓ−Ｌｙｓ−Ｘａａ３−Ｃｙｓ−Ｍｅｔ−Ｘａａ１−Ｘａａ１−Ｘａａ１−Ｘａａ１−Ｘａａ１−Ｘａａ３−Ｘ−ａａ１−Ｐｈｅ−Ｘａａ１−Ｐｒｏ−Ｃｙｓ−Ｇｌｙ−Ｈｉｓ−Ｘａａ１−Ｘａａ１−Ｘａａ１−Ｃｙｓ−Ｘａａ１−Ｘａａ１−Ｃｙｓ−Ａｌａ−Ｘａａ１−Ｘａａ−１−Ｘａａ１−Ｘａａ１−Ｘａａ１−Ｃｙｓ−Ｐｒｏ−Ｘａａ１−Ｃｙｓ（配列番号６）（ここで、Ｘａａ１は任意のアミノ酸であり、Ｘａａ２はＧｌｕまたはＡｓｐであり、Ｘａａ３はＶａｌまたはＩｌｅである）のアミノ酸配列を有するドメインを意味するものである。
【手続補正３】
【補正対象書類名】明細書
【補正対象項目名】０３６６
【補正方法】変更
【補正の内容】
【０３６６】
ＧＳＴ−リンカーＢＩＲ２ＢＩＲ３リング：アミノ酸９３−４９７からのＸＩＡＰコード配列を、ＢａｍＨ１およびＸｈｏｌを介してＰＧｅｘ４Ｔ１にクローン化した。アミノ酸９３−４９７を、プライマー：ＴＴＡＡＴＡＧＧＡＴＣＣＡＴＣＡＡＣＧＧＣＴＴＴＴＡＴＣ（配列番号７）およびＧＣＴＧＣＡＴＧＴＧＴＧＴＣＡＧＡＧＧ（配列番号８）を使用し、および標準ＰＣＲ条件を使用して、ｐＧｅｘ４ｔ３中で、完全長ＸＩＡＰから増幅した。ＰＣＲフラグメントは、ｐＣＲ−２．１にクローン化されたＴＡ（インビトロジェン）であった。リンカーＢＩＲ２ＢＩＲ３リングは、ＢａｍＨＩ／Ｘｈｏｌ消化によって、ｐＧｅｘ４Ｔ１にサブクローン化した。プラスミドは、タンパク質発現および精製において使用するために、大腸菌ＤＨ５αに転換した。
【手続補正４】
【補正対象書類名】明細書
【補正対象項目名】０３６８
【補正方法】変更
【補正の内容】
【０３６８】
２８．ＦＰアッセイのための蛍光プローブの合成
蛍光ペプチドプローブ、Ｆｍｏｃ−Ａｌａ−Ｖａｌ−Ｐｒｏ−Ｐｈｅ−Ｔｙｒ（ｔ−Ｂｕ）−Ｌｅｕ−Ｐｒｏ−Ｇｌｙ（ｔ−Ｂｕ）−Ｇｌｙ−ＯＨ（配列番号９）を、２−クロロトリチルクロリド樹脂上で標準的なＦｍｏｃ化学を仕様して生成した（Ｉｎｔ．Ｊ．Ｐｅｐｔ．Ｐｒｏｔ．Ｒｅｓ．３８：５５５−５６１，１９９１）。樹脂からの切断を、ジクロロメタン（ＤＣＭ）中で２０％酢酸を使用して行い、これはさらに副作用がブロックされた。Ｃ−末端保護カルボン酸を、ジメチルホルムアミド（ＤＭＦ）中、過剰のジイソプロピルカルボジイミド（ＤＩＣ）を使用して、室温で、４’−（アミノメチル）フルオレシン（分子プローブ，Ａ−１３５１；Ｅｕｇｅｎｅ，Ｏｒｅｇ．）にカップリングし、シリカゲルクロマトグラフ（ＤＣＭ中１０％メタノール）によって精製した。Ｎ−末端Ｆｍｏｃ保護基を、ＤＭＦ中でピペリジン（２０％）を使用して除去し、シリカゲルクロマトグラフ（ＤＣＭ中２０％メタノール、０．５％ＨＯＡｃ）によって精製した。最後に、ｔ−ブチル側鎖保護基を、２．５％の水と２．５％のトリイソプロピル食塩水とを含む９５％トリフルオロ酢酸を使用して除去した。得られたペプチドは、ＨＰＬＣ（純度＞９５％）によって、単一ピークを示した。化合物番号１７４もこのアッセイで蛍光プローブとして使用した。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
ケラチン繊維を着色する方法であって、該繊維と、金属及び式（１）、（２）、（３）、（４）、（５）又は（６）
【化１】
2008545624.tif 000001
[式中、Ｘ1及びＸ2は、Ｏ、Ｓ又はＮＲ（式中、Ｒは水素原子；未置換のもしくは置換さ
れた及び／又は中断された又は中断されていないアルキル基；未置換の又は置換されたアリール基、ヘテロアリール基、アルキルスルホニル基又はアリールスルホニル基を表す。）を表し；
Ｒ1及びＲ2は、互いに独立して水素原子；未置換のもしくは置換された及び／又は中断されたもしくは中断されていないアルキル基；未置換のもしくは置換された及び／又は中断されたもしくは中断されていないシクロアルキル基；未置換のもしくは置換されたアリール基又はヘテロアリール基；アゾもしくはアゾメチン化合物の未置換の又は置換された基を表し；
Ｒ3及びＲ4は、互いに独立して、未置換のもしくは置換されたアリール基又はヘテロアリール基；アゾもしくはアゾメチン化合物の未置換の又は置換された基を表し；
Ｒ5、Ｒ6及びＲ7は、互いに独立して、未置換のもしくは置換されたアリール基又はヘテ
ロアリール基；アゾもしくはアゾメチン化合物の未置換の又は置換された基；ハロゲン原子；ヒドロキシ基；ＮＲ8Ｒ9（式中、Ｒ8及びＲ9は、互いに独立して未置換のもしくは置換された及び／又は中断されたもしくは中断されていないアルキル基又はシクロアルキル基；未置換のもしくは置換されたアリール基又はヘテロアリール基；アゾもしくはアゾメチン化合物の未置換の又は置換された基を表すか；又はＲ8及びＲ9は、それらを結合する窒素原子と一緒になって、更なるヘテロ原子を含有し得る未置換の又は置換された５−、６−又は７員環を形成する。）を表し；
ｍは、０、１、２、３又は４を表し；複数のｍが存在する場合、互いに独立して選択する
ことが可能であり；
ｎは、０、１、２又は３を表し；複数のｎが存在する場合、互いに独立して選択することが可能であり；
ｐは０、１又は２を表し；複数のｐが存在する場合、互いに独立して選択することが可能であり；
Ｚは、存在する場合、置換基であり、複数の置換基Ｚが存在する場合、それらの置換基は互いに独立して選択することが可能である。]で表される配位子を含む少なくとも一種の
着色金属錯体であるが、
但し、Ｆｅ2+と２，４，６−トリス−（α−ピリジル）−１，３，５−トリアジン、１，１０−フェナントロリン又は４’−フェニル−２，２’，２’’−テルピリジンとの金属錯体は除かれるところの金属錯体とを接触することを含む方法。
【請求項２】
金属及び式（３ａ）
【化２】
2008545624.tif 000002
で表される配位子又は式（４ａ）
【化３】
2008545624.tif 000003
で表される配位子（式中、Ｘ1、Ｘ2、Ｚ及びｍは、請求項１において定義された通りである。）、及び
式（６）
【化４】
2008545624.tif 000004
[式中、
Ｒ5は、未置換のもしくは置換されたヘテロアリール基又はアゾもしくはアゾメチン化合
物の未置換の又は置換された基を表し；及びＲ6及びＲ7は、互いに独立して未置換のもしくは置換されたアリール基又はヘテロアリール基；アゾもしくはアゾメチン化合物の未置換の又は置換された基；ハロゲン原子；ヒドロキシ基；ＮＲ8Ｒ9（式中、Ｒ8及びＲ9は、互いに独立して、未置換のもしくは置換された及び／又は中断されたもしくは中断されていないアルキル基又はシクロアルキル基；未置換のもしくは置換されたアリール基又はヘテロアリール基；アゾもしくはアゾメチン化合物の未置換の又は置換された基を表すか、又はＲ8及びＲ9は、それらを結合する窒素原子と一緒になって更なるヘテロ原子を含有し得る未置換の又は置換された５−、６−又は７−員環を形成する。）を表す。]で表され
る配位子を含む金属錯体。
【請求項３】
式（３ａ）
【化５】
2008545624.tif 000005
で表される配位子又は式（４ａ）
【化６】
2008545624.tif 000006
で表される配位子（式中、Ｘ1、Ｘ2、Ｚ及びｍは、請求項１において定義された通りである。）、又は
式（６）
【化７】
2008545624.tif 000007
[式中、
Ｒ5は１，１０−フェナントロリニル基；アゾもしくはアゾメチン化合物の未置換の又は
置換された基を表し；及びＲ6及びＲ7は、互いに独立して未置換のもしくは置換されたアリール基又はヘテロアリール基；アゾもしくはアゾメチン化合物の未置換の又は置換された基；ハロゲン原子；ヒドロキシ基；ＮＲ8Ｒ9（式中、Ｒ8及びＲ9は、互いに独立して未置換のもしくは置換された及び／又は中断されたもしくは中断されていないアルキル基又はシクロアルキル基；未置換のもしくは置換されたアリール基又はヘテロアリール基；アゾもしくはアゾメチン化合物の未置換の又は置換された基を表し；又はＲ8及びＲ9は、それらを結合する窒素原子と一緒になって、更なるヘテロ原子を含有し得る未置換のもしくは置換された５−、６−又は７−員環を形成する。）を表す。]で表される配位子。
【請求項４】
請求項２及び請求項３において定義された通りの少なくとも１種の金属錯体又は少なくとも１種の配位子、及び／又は方法に係る請求項１において定義された通りの少なくとも1
種の金属錯体を含む組成物。
【請求項５】
ケラチン繊維を着色するための染料としての、請求項２又は請求項３において定義された通りの少なくとも１種の金属錯体又は少なくとも１種の配位子、及び／又は方法に係る請求項１において定義された通りの少なくとも１種の金属錯体の使用。
【手続補正書】
【提出日】平成21年5月22日(2009.5.22)
【手続補正１】
【補正対象書類名】明細書
【補正対象項目名】００１０
【補正方法】変更
【補正の内容】
【００１０】
方法ａ)で使用するウレア形成剤は、例えばホスゲン、トリホスゲンまたはトリクロロメチルホルメートであってよく、アミンの添加が続く。ウレア形成は、また式IIの化合物をイソシアネートと反応させたときにも得ることができる。
【手続補正２】
【補正対象書類名】明細書
【補正対象項目名】００６０
【補正方法】変更
【補正の内容】
【００６０】
前記によって、本発明はさらに以下を提供する：
１.１  処置を必要とする対象におけるケモカイン受容体とそれらのリガンドの間の相互作用が仲介する障害または疾患、例えば上記の疾患を予防または処置する方法であって、該対象に有効量の式Ｉの化合物または薬学的に許容されるその塩を投与することを含む、方法；
１.２  処置を必要とする対象における炎症性または自己免疫性疾患、例えば上記の疾患を予防または処置する方法であって、該対象に有効量の式Ｉの化合物または薬学的に許容されるその塩を投与することを含む、方法；
２.  例えば、上記１.１または１.２の下に示す方法のいずれかにおいて、医薬として使用するための式Ｉの化合物または薬学的に許容されるその塩；
３.  式Ｉの化合物または薬学的に許容されるその塩を薬学的に許容される希釈剤または担体と共に含む、例えば上記１.１または１.２における方法のいずれかに使用するための医薬組成物；
４.  上記１.１または１.２の方法のいずれかに使用するための医薬組成物の製造に使用するための、式Ｉの化合物または薬学的に許容されるその塩。
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
微粒子元素金属および被覆材料を含み、該被覆材料が該微粒子元素金属の表面積の少なくとも一部の周辺に配置されている、生物学的に活性な元素金属組成物。
【請求項２】
元素金属および非伝導性材料を含み、該非伝導性材料が該元素金属の少なくとも一部の周辺に配置されている、生物学的に活性な元素金属組成物。
【請求項３】
前記元素金属が微粒子形態である、請求項２に記載の組成物。
【請求項４】
前記微粒子形態の元素金属が約１ｍｍ、約１ミクロン、または約１ｎｍの平均サイズ範囲を有する、請求項３に記載の組成物。
【請求項５】
２以上の元素金属を含む、請求項２に記載の組成物。
【請求項６】
鉄を含む、請求項２に記載の組成物。
【請求項７】
亜鉛を含む、請求項２に記載の組成物。
【請求項８】
アルミニウムを含む、請求項２に記載の組成物。
【請求項９】
銅を含む、請求項２に記載の組成物。
【請求項１０】
亜鉛をさらに含む、請求項６に記載の組成物。
【請求項１１】
鉄対亜鉛の比率が１０００：１から１：１０００の間である、請求項１０に記載の組成物。
【請求項１２】
アルミニウムをさらに含む、請求項６に記載の組成物。
【請求項１３】
鉄対アルミニウムの比率が１０００：１から１：１０００の間である、請求項１２に記載の組成物。
【請求項１４】
銅をさらに含む、請求項６に記載の組成物。
【請求項１５】
鉄対銅の比率が１０００：１から１：１０００の間である、請求項１４に記載の組成物。
【請求項１６】
鉄、亜鉛、銅、およびアルミニウムの混合物を含む、請求項２に記載の組成物。
【請求項１７】
前記非伝導性材料がろうである、請求項２に記載の組成物。
【請求項１８】
生物学的に活性なコンデンサ組成物を製造するための方法であって、元素金属と被覆材料を混合する工程を含み、該混合が、該被覆材料が該元素金属の少なくとも一部を被覆するのに十分である、方法。
【請求項１９】
前記被覆材料が非伝導性材料である、請求項１８に記載の方法。
【請求項２０】
前記被覆材料が有機材料である、請求項１８に記載の方法。
【請求項２１】
請求項１または２に記載の生物学的に活性なコンデンサ組成物を含む成形された装置。
【請求項２２】
請求項１または２に記載の生物学的に活性なコンデンサ組成物を含むパウチ。
【請求項２３】
請求項１または２に記載の生物学的に活性な元素金属組成物を含む医療用包帯。
【請求項２４】
請求項１または２に記載の生物学的に活性な元素金属組成物を含む、皮膚状態を治療するための組成物。
【請求項２５】
請求項１または２に記載の生物学的に活性な元素金属組成物を含む、疼痛を治療するための組成物。
【手続補正書】
【提出日】平成21年5月28日(2009.5.28)
【手続補正１】
【補正対象書類名】特許請求の範囲
【補正対象項目名】全文
【補正方法】変更
【補正の内容】
【特許請求の範囲】
【請求項１】
RおよびS双方のエナンチオマー形態ならびにラセミ混合物を含む下記の構造を有する溶媒和されていない(unsolvated)化合物を含む、組成物：
2008545757.tif 000001
式中、
R1は脂肪族またはアリールであり； 
R2は脂肪族またはアリールであり；
R3はヒドロキシであり；かつ
R4はハロである。
【請求項２】
化合物が、
2008545757.tif 000002
である、請求項1記載の組成物。
【請求項３】
溶媒和されていない化合物が無水である、請求項1記載の組成物。
【請求項４】
溶媒和されていない化合物が斜方晶構造を有する、請求項1記載の組成物。
【請求項５】
Bz-423エタノール溶媒和物、Bz-423コハク酸、Bz-423クエン酸、BZ-423-酢酸、BZ-423-CH3CN、BZ-423-酢酸エチル、BZ-423-トルエン、BZ-423-シュウ酸、BZ-423-フマル酸、BZ-423-オクタノール、BZ-423-ヘプタン酸、BZ-423-ジフェニルエーテル、Bz-423 1-プロパノール溶媒和物、Bz-423 2-プロパノール溶媒和物、Bz-423 1-ブタノール溶媒和物、Bz-423 2-ブタノール溶媒和物、Bz-423 1-ペンタノール溶媒和物、Bz-423プロピレングリコール、Bz-423 1-オクタノール溶媒和物、Bz-423アセトンガラス(acetone glass)、およびBZ-423-トリクロロベンゼンからなる群より選択される化合物を含む、組成物。
【請求項６】
ベンゾジアゼピンが、RおよびS双方のエナンチオマー形態ならびにラセミ混合物を含む下記の構造を有する、斜方晶系のベンゾジアゼピン結晶を含む組成物：
2008545757.tif 000003
式中、
R1は脂肪族またはアリールであり； 
R2は脂肪族またはアリールであり；
R3はヒドロキシであり；かつ
R4はハロである。
【請求項７】
化合物が、
2008545757.tif 000004
である、請求項6記載の組成物。
【請求項８】
斜方晶系のベンゾジアゼピン結晶が無水である、請求項6記載の組成物。
【請求項９】
RおよびS双方のエナンチオマー形態ならびにラセミ混合物を含む下記の構造を有するベンゾジアゼピンの経口投与量を含む、組成物：
2008545757.tif 000005
式中、
R1は脂肪族またはアリールであり； 
R2は脂肪族またはアリールであり；
R3はヒドロキシであり；かつ
R4はハロである。
【請求項１０】
化合物が、
2008545757.tif 000006
である、請求項9記載の組成物。
【請求項１１】
ベンゾジアゼピン化合物が無水である、請求項9記載の組成物。
【請求項１２】
ベンゾジアゼピン化合物が斜方晶構造を有する、請求項9記載の組成物。
【請求項１３】
化合物が下記である、請求項1記載の組成物：
2008545757.tif 000007
式中、R2は、フェノール；1-ナプタレノール(Napthalenol)；2-ナプタレノール；
2008545757.tif 000008
およびキノリンからなる群より選択される。
【請求項１４】
ベンゾジアゼピンが下記である、請求項6または9記載の組成物：
2008545757.tif 000009
式中、R2は、フェノール；1-ナプタレノール；2-ナプタレノール；
2008545757.tif 000010
およびキノリンからなる群より選択される。
【請求項１５】
自己免疫疾患または過剰増殖障害の治療に用いるための、請求項1〜14のいずれか一項記載の組成物。
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
患者において脳腫瘍を処置するための組成物であって、
モノクローナル抗体（ｍＡｂ）
を含み、
該組成物は脳腫瘍を有する患者に全身投与されることを特徴とする、
組成物。
【請求項２】
請求項１に記載の組成物であって、前記モノクローナル抗体（ｍＡｂ）がキメラモノクローナル抗体、ヒト化モノクローナル抗体、またはヒトモノクローナル抗体である、組成物。
【請求項３】
請求項１に記載の組成物であって、前記モノクローナル抗体（ｍＡｂ）が中和抗ＨＧＦ  ｍＡｂである、組成物。
【請求項４】
請求項２に記載の組成物であって、前記モノクローナル抗体（ｍＡｂ）がヒト化Ｌ２Ｇ７  ｍＡｂである、組成物。
【請求項５】
請求項１に記載の組成物であって、該組成物は静脈内投与されることを特徴とする、組成物。
【請求項６】
請求項１に記載の組成物であって、前記脳腫瘍が神経膠腫である、組成物。
【請求項７】
請求項６に記載の組成物であって、前記脳腫瘍が神経膠芽細胞腫である、組成物。
【請求項８】
請求項１に記載の組成物であって、前記患者がヒトである、組成物。
【請求項９】
請求項１に記載の組成物であって、前記患者が放射線療法でもまた処置されることを特徴とする、組成物。
【請求項１０】
請求項１に記載の組成物であって、該組成物は１種以上の他の活性な抗癌薬とともに投与されることを特徴とする、組成物。
【請求項１１】
請求項１に記載の組成物であって、前記モノクローナル抗体（ｍＡｂ）が増殖因子に結合し、該増殖因子は、脈管内皮細胞増殖因子（ＶＥＧＦ）、神経成長因子（ＮＧＦ）、脳由来神経栄養因子（ＢＤＮＦ）、ＮＴ−３、トランスフォーミング増殖因子（ＴＧＦ）−α（ＴＧＦ−α）、ＴＧＦ−β１、ＴＧＦ−β２、血小板由来増殖因子（ＰＤＧＦ）、上皮増殖因子（ＥＧＦ）、ヘレグリン、エピレグリン、エンフィレグリン、ニューレグリン（ＮＲＧ）−１α（ＮＲＧ−１α）、ＮＲＧ−１β、ＮＲＧ−２α、ＮＲＧ−２β、ＮＲＧ−３、ＮＲＧ−４、インスリン様増殖因子（ＩＧＦ）−１（ＩＧＦ−１）、ＩＧＦ−２、酸性線維芽細胞増殖因子（ＦＧＦ）（ＦＧＦ−１）、塩基性ＦＧＦ（ＦＧＦ−２）、およびＦＧＦ−ｎ（ｎは３〜２３の任意の数である）からなる群より選択される、組成物。
【請求項１２】
患者において脳腫瘍の退縮を引き起こすための組成物であって、
モノクローナル抗体（ｍＡｂ）
を含み、
該組成物は脳腫瘍を有する患者に全身投与されることを特徴とする、
組成物。
【請求項１３】
請求項１２に記載の組成物であって、前記モノクローナル抗体（ｍＡｂ）がキメラモノクローナル抗体、ヒト化モノクローナル抗体、またはヒトモノクローナル抗体である、組成物。
【請求項１４】
請求項１２に記載の組成物であって、前記モノクローナル抗体（ｍＡｂ）が中和抗ＨＧＦ  ｍＡｂである、組成物。
【請求項１５】
請求項１３に記載の組成物であって、前記モノクローナル抗体（ｍＡｂ）がヒト化Ｌ２Ｇ７  ｍＡｂである、組成物。
【請求項１６】
請求項１２に記載の組成物であって、該組成物が静脈内投与されることを特徴とする、組成物。
【請求項１７】
請求項１２に記載の組成物であって、前記脳腫瘍が神経膠星状細胞腫である、組成物。
【請求項１８】
請求項１７に記載の組成物であって、前記脳腫瘍が神経膠芽細胞腫である、組成物。
【請求項１９】
請求項１２に記載の組成物であって、前記退縮が全体的退縮である、組成物。
【請求項２０】
請求項１２に記載の組成物であって、前記患者が放射線療法でもまた処置されることを特徴とする、組成物。
【請求項２１】
請求項１２に記載の組成物であって、該組成物は１種以上の他の活性な抗癌薬とともに投与されることを特徴とする、組成物。
【請求項２２】
請求項１２に記載の組成物であって、前記モノクローナル抗体（ｍＡｂ）が増殖因子に結合し、該増殖因子は、脈管内皮細胞増殖因子（ＶＥＧＦ）、神経成長因子（ＮＧＦ）、脳由来神経栄養因子（ＢＤＮＦ）、ＮＴ−３、トランスフォーミング増殖因子（ＴＧＦ）−α（ＴＧＦ−α）、ＴＧＦ−β１、ＴＧＦ−β２、血小板由来増殖因子（ＰＤＧＦ）、上皮増殖因子（ＥＧＦ）、ヘレグリン、エピレグリン、エンフィレグリン、ニューレグリン（ＮＲＧ）−１α（ＮＲＧ−１α）、ＮＲＧ−１β、ＮＲＧ−２α、ＮＲＧ−２β、ＮＲＧ−３、ＮＲＧ−４、インスリン様増殖因子（ＩＧＦ）−１（ＩＧＦ−１）、ＩＧＦ−２、酸性線維芽細胞増殖因子（ＦＧＦ）（ＦＧＦ−１）、塩基性ＦＧＦ（ＦＧＦ−２）、およびＦＧＦ−ｎ（ｎは３〜２３の任意の数である）からなる群より選択される、組成物。
【請求項２３】
全身投与による脳腫瘍処置用の医薬の製造における、中和抗ＨＧＦ抗体の使用。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
部分的内因性成長ホルモン活性またはシグナル伝達を特徴とする特発性低身長（ISS）障害に罹患しているヒト小児被験者に、被験者における成長を促進するために有効な量のインスリン様増殖因子-1（IGF-1）を投与する段階を含む、特発性低身長（ISS）を有する被験者を処置するための方法であって、
被験者が、IGF-1による処置時またはIGF-1による初回処置の前に、同じ年齢および性別の被験者の標準的な平均身長より少なくとも約2.0標準偏差（SD）低い身長を有するかまたは有したこと、および
被験者が、同じ年齢および性別の被験者において少なくとも標準的であるGHおよびIGF-1血中レベルを有すること
を被験者がさらに特徴とし、かつ被験者がIGF-1を1日1回投与される、処置方法。
【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
組織を有する哺乳動物における虚血の処置または予防に使用するための、非限局的体性幹細胞（USSC）を含む医薬であって、虚血または虚血のリスクが該組織への血流障害に関連する、医薬。
【請求項２】
全身投与のために製剤されている、請求項1記載の医薬。
【請求項３】
静脈内投与のために製剤されている、請求項2記載の医薬。
【請求項４】
前記組織が体肢組織であり、該体肢組織が該体肢への血流障害により虚血性となっている、請求項1記載の医薬。
【請求項５】
前記組織が内蔵器官の組織である、請求項1記載の医薬。
【請求項６】
前記医薬中のUSSCにより、前記組織に血液を供給する血管の数を増加させることによって虚血を処置または予防する、請求項1記載の医薬。
【請求項７】
血管数の増加により前記組織における壊死を減少させる、請求項6記載の医薬。
【請求項８】
前記組織が筋肉であり、血管数の増加が萎縮筋の量を減少させる、請求項7記載の医薬。
【請求項９】
前記筋肉が骨格筋である、請求項8記載の医薬。
【請求項１０】
前記筋肉が体肢筋である、請求項9記載の医薬。
【請求項１１】
前記筋肉が心筋である、請求項8記載の医薬。
【請求項１２】
前記筋肉が平滑筋である、請求項8記載の医薬。
【請求項１３】
USSCが臍帯血由来である、請求項1記載の医薬。
【請求項１４】
局所投与のために製剤されている、請求項1記載の医薬。
【請求項１５】
筋内投与のために製剤されている、請求項14記載の医薬。
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
2008545737.tif 000001
α−Ｄ−グルコース４を１,２−Ｏ−イソプロピリデン−α−Ｌ−イドフラノニトリル５’に変換するためのプロセスであって、
2008545737.tif 000002
Ｒ１はアルキレン基であり、Ｒ２は保護基であって、化合物３’の化合物５’への変換は、マグネシウムイオンの存在下で化合物３’をシアン化物イオンと反応させることによって生じさせるプロセス。
【請求項２】
マグネシウムイオンのシアン化物イオンに対するモル比は０.５から２の範囲にある請求項１に記載のプロセス。
【請求項３】
シアン化物イオンは、化合物３’の量に基づいて少なくとも約１モル当量で提供される請求項１に記載のプロセス。
【請求項４】
シアン化物イオンの原料は、シアン化カリウム、シアン化ナトリウム、シアン化水素及びシアン化リチウムからなる群から選択される請求項１に記載のプロセス。
【請求項５】
マグネシウムイオンの原料は、ハロゲン化マグネシウム及び硫酸マグネシウムからなる群から選択される請求項１に記載のプロセス。
【請求項６】
前記ハロゲン化マグネシウムは塩化マグネシウムである請求項５に記載のプロセス。
【請求項７】
化合物３’を化合物５’に変換する反応は０℃から４０℃の範囲の温度で行なわれる請求項１に記載のプロセス。
【請求項８】
化合物３’を化合物５’に変換する反応は約室温で実行される請求項１に記載のプロセス。
【請求項９】
化合物３’は、１時間から１０日の反応時間を使用して化合物５’に変換される請求項１に記載のプロセス。
【請求項１０】
化合物３’は、２から５日の反応時間を使用して化合物５’に変換される請求項１に記載のプロセス。
【請求項１１】
化合物３’のシアン化物イオンとの反応はアルコール溶媒中で実行される請求項１に記載のプロセス。
【請求項１２】
前記溶媒に存在するアルコールはアルカノールである請求項１１に記載のプロセス。
【請求項１３】
前記溶媒は水性アルコール溶媒である請求項１１に記載のプロセス。
【請求項１４】
アルコールの水に対する比は好ましくは３：１から１：３の範囲にある請求項１３に記載のプロセス。
【請求項１５】
マグネシウムイオンの存在下での化合物３’のシアン化物イオンとの反応は、化合物５’及び化合物６’を含む生成混合物を生成する請求項１に記載のプロセス。
2008545737.tif 000003
【請求項１６】
化合物３’の化合物５’への変換は、５’：６’の生成物比が２：１より大きくなる立体選択的条件下で実行される請求項１５に記載のプロセス。
【請求項１７】
化合物３’の化合物５’への変換は、５’：６’の生成物比が１０：１より大きくなる立体選択的条件下で実行される請求項１５に記載のプロセス。
【請求項１８】
化合物５’は結晶化によって生成混合物から単離される請求項１５に記載のプロセス。
【請求項１９】
化合物５’は、非プロトン有機溶媒に生成混合物の溶液を形成し、それから該溶液に無極性溶媒を添加することによって結晶化する請求項１８に記載のプロセス。
【請求項２０】
前記非プロトン有機溶媒は、ジエチルエーテル及び酢酸エチルからなる群から選択される請求項１９に記載のプロセス。
【請求項２１】
前記無極性溶媒はヘキサンである請求項１９に記載のプロセス。
【請求項２２】
前記プロセスは、生成混合物からの化合物５’の結晶化後に残っている残留非結晶化生成混合物にマグネシウムイオンの存在下でシアン化物イオンを添加して更なる化合物５’を含有する更なる生成混合物を提供することと、該更なる生成混合物から更なる量の化合物５’を単離することとを更に含む請求項１５に記載のプロセス。
【請求項２３】
Ｒ１はＣ１及びＣ２酸素原子間に少なくとも１つの炭素原子を提供する請求項１に記載のプロセス。
【請求項２４】
Ｒ１はメチレン基又はイソプロピル基である請求項１に記載のプロセス。
【請求項２５】
Ｒ２はベンジル基である請求項１に記載のプロセス。